(57)【特許請求の範囲】
【請求項１】
情報信号を記録担体上の少なくとも１つのトラックに記録する記録装置であって、前記情報信号が当該情報信号の直列データ流中に時間の関数として不規則に発生し得るようなパケットを有し、当該記録装置は、
・前記情報信号を入力する入力端子と、
・前記情報信号をチャンネル符号化された情報信号にチャンネル符号化するチャンネル符号化手段と、
・前記チャンネル符号化された情報信号を前記記録担体上の前記少なくとも１つのトラックに書き込む書込手段と、
を有し、情報のフレームを有する前記チャンネル符号化された情報信号が前記少なくとも１つのトラックに記録される、
記録装置であって、
入力された前記情報信号中に含まれるパケットの発生時点と或る関係を有するタイムスタンプを発生するタイムスタンプ発生手段と、
パケット及び該パケットに対応するタイムスタンプとを合成して複合パケットを得る合成手段と、
をさらに有し、前記タイムスタンプ発生手段は、連続するカウント値の連続サイクルを発生するように構成されたカウンタ手段を有し、前記サイクルは、情報の連続するフレームの前記記録担体上の少なくとも１つのトラックへの記録と時間的に一致し、前記タイムスタンプ発生手段は、前記情報信号中でのパケットの発生の検出に応答して、該パケット用のタイムスタンプを発生するように構成され、該タイムスタンプは、当該パケットの前記発生の時点での前記カウンタ手段のカウント値と特定の関係を有する、記録装置。
【請求項２】
情報信号を記録担体上の斜めのトラックに記録する螺旋走査型の記録装置であって、前記情報信号が当該情報信号の直列データ流中に時間の関数として不規則に発生し得るようなパケットを有し、当該記録装置は、
・前記情報信号を入力する入力端子と、
・前記情報信号をチャンネル符号化された情報信号にチャンネル符号化するチャンネル符号化手段と、
・前記チャンネル符号化された情報信号を前記記録担体上の前記トラックに書き込む書込手段と、
を有し、前記チャンネル符号化された情報信号が情報のフレームを有し、情報の１つのフレームが、ｎを１より大なる整数とした場合、ｎ個の連続したトラックからなる１つの群に記録される、
記録装置であって、
入力された前記情報信号中に含まれるパケットの発生時点と或る関係を有するタイムスタンプを発生するタイムスタンプ発生手段と、
パケットと、該パケットに対応するタイムスタンプとを合成して複合パケットを得る合成手段と、
をさらに有し、前記タイムスタンプ発生手段は、連続するカウント値の連続サイクルを発生するように構成されたカウンタ手段を有し、前記サイクルの少なくとも１つは、前記記録担体上のｎ個の連続するトラックの連続する群の１つへの記録と時間的に一致し、前記タイムスタンプ発生手段は、前記情報信号中でのパケットの発生の検出に応答して、該パケット用のタイムスタンプを発生するように構成され、該タイムスタンプは、当該パケットの前記発生の時点での前記カウンタ手段のカウント値と特定の関係を有する、記録装置。
【請求項３】
請求項１又は２に記載の記録装置であって、前記タイムスタンプ発生手段は、前記カウンタ手段用のクロック信号を生成する発振器手段を有し、前記カウンタ手段は、前記クロック信号に応じて連続したカウント値をカウントするように構成されている、ことを特徴とする記録装置。
【請求項４】
請求項３に記載の記録装置であって、前記発振器手段は、２７ＭＨｚのクロック周波数を持つクロック信号を生成するように構成されている、ことを特徴とする記録装置。
【請求項５】
請求項１ないし３のうちいずれか１つに記載の記録装置であって、前記タイムスタンプ発生手段が、更に、情報の１つのフレームの記録の開始に際して前記カウンタ手段を開始カウント値にリセットするリセット手段を有している、ことを特徴とする記録装置。
【請求項６】
請求項１又は２に記載の記録装置であって、前記特定の関係は、前記タイムスタンプと前記カウント値とが互いに等しいことである、ことを特徴とする記録装置。
【請求項７】
請求項１ないし６のうちいずれか１つに記載の記録装置であって、前記パケットは、ＭＰＥＧデータ流フォーマットを満足するＭＰＥＧ情報パケットである、ことを特徴とする記録装置。
【請求項８】
請求項１ないし７のうちいずれか１つに記載の記録装置より得られる記録担体であって、当該記録担体の少なくとも１つのトラックにチャンネル符号化された形態で記録された情報信号を有し、情報のフレームを有する前記チャンネル符号化された情報信号は、前記少なくとも１つのトラックに記録され、前記情報信号に含まれる複数のパケットは、前記パケットの各々にタイムスタンプを伴い前記複数のパケットの各々が復号パケットの形態でフレーム内に記憶され、１つのパケットにおける前記タイムスタンプは、開始値から最終値までの連続したカウント値のサイクル内のカウント値に対して特定の関係を有し、前記サイクルは、情報の１つのフレームを前記記録担体に記録するのに要する期間と時間的に一致する、記録担体。
【請求項９】
記録担体上の少なくとも１つのトラックにチャンネル符号化された形態で記録されている情報信号を再生する再生装置であって、前記情報信号は、当該情報信号の直列データ流中に時間の関数として不規則に発生し得るパケットを有し、前記チャンネル符号化された情報信号の１つのフレームは、前記少なくとも１つのトラックに記録され、当該再生装置は、
・前記チャンネル符号化された情報信号を前記少なくとも１つのトラックから読み取る読取手段と、
・前記チャンネル符号化された情報信号を前記情報信号の複製にチャンネル復号するチャンネル復号手段と、
・前記情報信号の複製を出力する出力端子と、
を有し、
前記記録担体から再生された前記チャンネル符号化された情報信号の前記フレームは、複合パケットを有し、前記情報信号には前記パケットが含まれ、前記パケットにはタイムスタンプが付加されて前記複合パケットが得られるようになっており、前記タイムスタンプは、記録に際しての前記情報信号中に含まれるパケットの発生時点に対して或る関係を有し、前記チャンネル復号手段は、
・複合パケットから前記タイムスタンプを抽出して前記パケットと該パケットに対応する前記タイムスタンプとを得るタイムスタンプ抽出手段と、
・開始値から最終値までの連続するカウント値の連続サイクルを発生し、該サイクルが前記少なくとも１つのトラックからの前記フレームの再生に時間的に一致するようなカウンタ手段と、
・各パケットに関して、当該パケットに対応するタイムスタンプと前記カウンタ手段のカウント値とを比較すると共に、前記カウンタ手段のカウント値と前記タイムスタンプとが互いに特定の関係を有する時点で前記パケットを前記出力端子に供給する出力手段と、
を有する、
再生装置。
【請求項１０】
記録担体上の斜めのトラックにチャンネル符号化された形態で記録されている情報信号を再生する螺旋走査型の再生装置であって、前記情報信号は、当該情報信号の直列データ流中に時間の関数として不規則に発生し得るパケットを有し、前記チャンネル符号化された情報信号の１つのフレームは、ｎを１より大なる整数とした場合、ｎ個の連続するトラックからなる１つの群に記録され、当該再生装置は、
・前記チャンネル符号化された情報信号を前記トラックから読み取る読取手段と、
・前記チャンネル符号化された情報信号を前記情報信号の複製にチャンネル復号するチャンネル復号手段と、
・前記情報信号の複製を出力する出力端子と、
を有し、
前記記録担体から再生された前記チャンネル符号化された情報信号の前記フレームは、複合パケットを有し、前記情報信号には前記パケットが含まれ、前記パケットにはタイムスタンプが付加されて前記複合パケットが得られるようになっており、前記タイムスタンプは、記録に際しての前記情報信号中に含まれるパケットの発生時点に対して或る関係を有し、前記チャンネル復号手段は、
・複合パケットから前記タイムスタンプを抽出して前記パケットと該パケットに対応する前記タイムスタンプとを得るタイムスタンプ抽出手段と、
・開始値から最終値までの連続するカウント値の連続サイクルを発生するように構成され、該サイクルの少なくとも１つがｎ個の連続したトラックの連続する群の１つの再生に時間的に一致するようなカウンタ手段と、
・各パケットに関して、当該パケットに対応するタイムスタンプと前記カウンタ手段のカウント値とを比較すると共に、前記カウンタ手段のカウント値と前記タイムスタンプとが互いに特定の関係を有する時点に前記パケットを前記出力端子に供給する出力手段と、
を有する、
再生装置。
【請求項１１】
請求項９又は１０に記載の再生装置であって、当該装置が前記カウンタ手段用にクロック信号を生成する発振器手段を有し、前記カウンタ手段が前記クロック信号に応答して連続したカウント値をカウントするように構成されている、ことを特徴とする再生装置。
【請求項１２】
請求項１１に記載の再生装置であって、前記発振器手段が２７ＭＨｚのクロック周波数を持つクロック信号を生成するように構成されている、ことを特徴とする再生装置。
【請求項１３】
請求項９ないし１２のうちいずれか１つに記載の再生装置であって、前記タイムスタンプ発生手段が、更に、前記少なくとも１つのトラックからの１つのフレームの再生の開始の際に、前記カウンタ手段を前記開始値にリセットするリセット手段を有する、ことを特徴とする再生装置。
【請求項１４】
請求項１３に記載の再生装置であって、前記リセット手段が前記再生されたチャンネル符号化された信号におけるフレームの開始を検出する同期手段を有し、前記同期手段が前記カウンタ手段をリセットするためのリセット信号を発生するように構成されている、ことを特徴とする再生装置。
【請求項１５】
請求項９又は１０に記載の再生装置であって、前記特定の関係は、前記タイムスタンプと前記カウント値とが互いに等しいことである、ことを特徴とする再生装置。
【請求項１６】
請求項９ないし１５のうちいずれか１つに記載の再生装置であって、前記パケットがＭＰＥＧデータ流フォーマットを満足するようなＭＰＥＧ情報パケットである、ことを特徴とする再生装置。
【請求項１７】
記録担体上の少なくとも１つのトラックに情報信号を記録する記録方法であって、請求項１ないし７のうちいずれか１つに記載の記録装置において実施される記録方法。
【発明の詳細な説明】
技術分野
本発明は、記録担体上の少なくとも１つのトラックに情報信号を記録するような記録装置であって、上記情報信号が該情報信号の直列データ流中に時間の関数として不規則に発生し得るパケットを含み、該装置が、
−上記情報信号を入力する入力端子と、
−上記情報信号をチャンネル符号化された情報信号にチャンネル符号化するチャンネル符号化手段と、
−上記チャンネル符号化された情報信号を前記記録担体上の少なくとも１つのトラックに書き込む書込手段と、
を有し、情報のフレームを有する上記チャンネル符号化された情報信号が前記少なくとも１つのトラックに記録されるような記録装置に関する。又、本発明は、上記記録装置を用いて得られる記録担体、記録方法、及び上記記録装置により記録された情報信号を再生する再生装置にも関する。
背景技術
ＭＰＥＧ符号化された情報信号の磁気記録担体のような記録担体上への記録は、関連文献リスト中の文献（Ｄ１）、１９９４年１０月の研究公開、公開番号第３６６２９号の第５８１頁から既知である。この文献は、記録担体上へのフィーチャモード情報の特に螺旋走査型の記録装置による記録は議論しているが、本発明はこのようなものに限定されるものではないことに注意されたい。従って、記録されるべき当該情報は、再生中に記録担体の公称移送速度において再生することができるような情報に関係するものである。
上記ＭＰＥＧ符号化された情報信号は、当該ＭＰＥＧ伝送流の直列データ流中に不規則に発生し得る伝送パケットを有している。
１９９４年１１月１３日付けＩＳＯ／ＩＥＣ 13,818国際規格、パート１「システム」は、放送目的又はケーブル網を介しての転送目的でＭＰＥＧ情報信号を転送する伝送システムについての記載を含んでおり、該情報信号はデータ圧縮されたデジタルビデオ信号と、それに対応するデータ圧縮されたデジタルオーディオ信号とを含むことができるようなものである。該ＭＰＥＧ情報信号は、各々が１８８バイトの情報を含むような伝送パケットの形態である。
ＭＰＥＧ直列データ流におけるパケットは、「システム情報」以外に１種類の情報、即ちビデオ信号の一部か、オーディオ信号の一部か又はデータ信号の一部かの何れかを有する。複数のビデオ信号及び／又は複数のオーディオ信号及び／又は複数のデータ信号が、ＭＰＥＧ直列データ流中の伝送パケットを介して転送することができる。一つのパケットは、また、ＭＰＥＧ直列データ流を介して転送されたビデオ信号の唯１個、又はオーディオ信号の１個、又はデータ信号の１個を有する。
記録担体上への記録又は記録担体からの再生の形での、上記のようなＭＰＥＧ情報信号の転送は、このような転送を実現するための特別な手段を必要とする。
関連文献リスト中の文献Ｄ３、即ち１９９４年４月８日なる出願日を持つ先の米国特許出願第０８／２２５，１９３号（ＰＨＮ１４８１８）及び関連文献リスト中の文献Ｄ４、即ち１９９４年６月３日なる出願日を持つ先の米国特許出願第０８／２５３，５３５号（ＰＨＡ２１８８６）は、ＭＰＥＧ情報信号の記録及び再生を実現するための種々の上記のような手段について述べている。
一般的に、完全なＭＰＥＧ情報信号の記録は、該ＭＰＥＧ情報信号の高すぎるデータレートのために十分には可能ではないと言うことができる。
そこで、ＭＰＥＧ直列データ流中に含まれるビデオ信号の１つと、それに対応するオーディオ信号とが記録のために選択される。結果として、通常、伝送パケットは、時間の関数としては不規則に選択されるであろう。パケットを記録又は再生した後に、選択される連続したパケットの間のタイミング関係を維持するために、前記先に出願された文献は、記録されるパケットの各々にタイミング情報（即ち、「タイムスタンプ」）を挿入する手段について述べている。再生に際し、連続したパケットの間のタイミング関係は上記タイムスタンプを用いて再び得ることができる。
発明の開示
本発明は、発生されたタイムスタンプを用いてパケットを記録する記録装置の実施例を提供すること、及びパケット中に含まれるタイムスタンプを用いてパケットの系列を再現することが可能な再生装置を提供することを目的とする。
本発明によれば、冒頭で規定したような記録装置は、当該記録装置が、更に、入力された前記情報信号中に含まれるパケットの発生時点と或る関係を有するタイムスタンプを発生するタイムスタンプ発生手段と、パケットと該パケットに対応するタイムスタンプとを合成して複合パケットを得る合成手段とを有し、前記タイムスタンプ発生手段は連続するカウント値の連続サイクルを発生するように構成されたカウンタ手段を有し、前記サイクルは情報の連続するフレームを前記記録担体上の少なくとも１つのトラックへの記録と時間的に一致し、前記タイムスタンプ発生手段は、前記情報信号中でのパケットの発生の検出に応答して、該パケット用のタイムスタンプを発生するように構成され、該タイムスタンプは当該パケットの前記発生の時点での前記カウンタ手段のカウント値と特定の関係を有していることを特徴としている。上記記録装置は、上記情報信号を記録担体上の長手方向に走る１以上の長手方向トラックに記録するようなリニア記録形式の記録装置であってもよい。上記記録装置は、螺旋走査型のものであってもよい。情報信号を記録担体上の斜めのトラックに記録する上記のような螺旋走査型の記録装置であって、前記情報信号が当該情報信号の直列データ流中に時間の関数として不規則に発生し得るようなパケットを有し、前記記録装置が、
−前記情報信号を入力する入力端子と、
−前記情報信号をチャンネル符号化された情報信号にチャンネル符号化するチャンネル符号化手段と、
−前記チャンネル符号化された情報信号を前記記録担体上の前記トラックに書き込む書込手段と、
を有し、前記チャンネル符号化された情報信号が情報のフレームを有し、情報の一つのフレームが、ｎを１より大なる整数とした場合、ｎ個の連続したトラックの１つの群に記録されるような記録装置は、当該記録装置が、更に、入力された前記情報信号中に含まれるパケットの発生時点と或る関係を有するタイムスタンプを発生するタイムスタンプ発生手段と、パケットと該パケットに対応するタイムスタンプとを合成して複合パケットを得る合成手段とを有し、前記タイムスタンプ発生手段は連続するカウント値の連続サイクルを発生するように構成されたカウンタ手段を有し、前記サイクルは前記記録担体上のｎ個の連続するトラックの連続する群への記録と時間的に一致し、前記タイムスタンプ発生手段は、前記情報信号中でのパケットの発生の検出に応答して、該パケット用のタイムスタンプを発生するように構成され、該タイムスタンプは当該パケットの前記発生の時点での前記カウンタ手段のカウント値と特定の関係を有していることを特徴としている。
又、記録担体上の少なくとも１つのトラックにチャンネル符号化された形態で記録されている情報信号を再生する再生装置であって、前記情報信号は当該情報信号の直列データ流中に時間の関数として不規則に発生し得るパケットを有し、前記チャンネル符号化された情報信号の一つのフレームは前記少なくとも１つのトラックに記録され、当該再生装置が、
−前記チャンネル符号化された情報信号を前記少なくとも１つのトラックから読み取る読取手段と、
−前記チャンネル符号化された情報信号を前記情報信号の複製にチャンネル復号するチャンネル復号手段と、
−前記情報信号の複製を出力する出力端子と、
を有するような再生装置は、前記記録担体から再生された前記チャンネル符号化された情報信号の前記フレームが複合パケットを有し、前記情報信号には前記パケットが含まれ、前記パケットにはタイムスタンプが付加されて前記複合パケットが得られるなっており、前記タイムスタンプは記録に際しての前記情報信号中に含まれるパケットの発生時点に対して或る関係を有し、前記チャンネル復号手段は、
−複合パケットから前記タイムスタンプを抽出して前記パケットと該パケットに対応する前記タイムスタンプとを得るタイムスタンプ抽出手段と、
−開始値から最終値までの連続するカウント値の連続サイクルを発生し、該サイクルが前記少なくとも１つのトラックからの前記フレームの再生に時間的に一致するようなカウンタ手段と、
−各パケットに関して、当該パケットに対応するタイムスタンプと前記カウンタ手段のカウント値とを比較すると共に、前記カウンタ手段のカウント値と前記タイムスタンプとが互いに特定の関係を有する時点で前記パケットを前記出力端子に供給する出力手段とを有することを特徴としている。また、記録担体上の斜めのトラックにチャンネル符号化された形態で記録されている情報信号を再生する螺旋走査型の再生装置であって、前記情報信号が当該情報信号の直列データ流中に時間の関数として不規則に発生し得るパケットを有し、前記チャンネル符号化された情報信号の一つのフレームが、ｎを１より大なる整数とした場合、ｎ個の連続するトラックの１つの群に記録され、当該再生装置が、
−前記チャンネル符号化された情報信号を前記トラックから読み取る読取手段と、
−前記チャンネル符号化された情報信号を前記情報信号の複製にチャンネル復号するチャンネル復号手段と、
−前記情報信号の複製を出力する出力端子と、
を有するような再生装置は、前記記録担体から再生された前記チャンネル符号化された情報信号の前記フレームが複合パケットを有し、前記情報信号には前記パケットが含まれ、前記パケットにはタイムスタンプが付加されて前記複合パケットが得られるなっており、前記タイムスタンプが記録に際しての前記情報信号中に含まれるパケットの発生時点に対して或る関係を有し、前記チャンネル復号手段が、
−複合パケットから前記タイムスタンプを抽出して前記パケットと該パケットに対応する前記タイムスタンプとを得るタイムスタンプ抽出手段と、
−開始値から最終値までの連続するカウント値の連続サイクルを発生するように構成され、該サイクルがｎ個の連続したトラックの連続する群の再生に時間的に一致するようなカウンタ手段と、
−各パケットに関して、当該パケットに対応するタイムスタンプと前記カウンタ手段のカウント値とを比較すると共に、前記カウンタ手段のカウント値と前記タイムスタンプとが互いに特定の関係を有する時点に前記パケットを前記出力端子に供給する出力手段と、
を有することを特徴としている。
本発明は、記録の間に開始値から最終値までの連続するカウント値のサイクルを発生するためにカウンタが用いられ、該サイクルは情報のフレームを記録するに要する期間と時間的に一致するとの認識に基づくものである。螺旋走査型の記録装置においては、上記サイクルは、チャンネル符号化された情報信号のフレームが記録されるようなｎ個のトラックの群の記録に要する期間と時間的に一致し得る。更に詳細には、カウント値の１サイクルがｎトラックを記録するに要する期間に時間的に一致するか、又は２以上のサイクルがｎトラックを記録するに要する期間と時間的に一致し得る。パケットの発生の時点に、その時点のカウンタのカウント値がタイムスタンプとして採用されて当該パケットに付加され、これにより複合パケットが得られる。該複合パケットはフレーム内のどこかに記憶される。結果として、当該記録装置が螺旋走査型の記録装置であると仮定した場合、上記複合パケットは、当該フレームが記録されるｎトラックの群のｎ個のトラックのうちの１つにおけるどこかに記録される。
再生に際しては、上記複合パケットがフレームから抽出され、該複合パケットからタイムスタンプが抽出される。該再生装置は開始値から最終値までのカウント値の同様のサイクルを発生するカウンタも有し、これらサイクルは前記少なくとも１つのトラックから再生された情報のフレームと同期される。カウンタのカウント値と、パケットに対応するタイムスタンプの値とが一致する時点で、当該パケットは出力端子に供給される。結果として、全てのパケットが元の時間系列で出力端子に到達する。
もっと一般的には、再生中には上記サイクルと、一つのフレームが前記少なくとも１個のトラックから再生される期間とは一致し得ると言える。この状況では、パケットから抽出したタイムスタンプにオフセット値を加算して、パケットの流れの、元のタイミング系列での正しい再現を可能とすることができる。他の解決策は、前記カウンタのカウント値のサイクルを時間的に遅延させ、各状況において、特定のカウント値に相当するタイムスタンプを持つパケットが、当該カウンタが上記カウント値に到達する前に利用できるようにすることである。
等価の方法によれば、記録に際し、カウント値にオフセット値を加算するか、又はカウント値のサイクルを情報のフレームを記録する期間に較べて時間的に遅らせることができる。
尚、関連文献リストの文献（Ｄ５）である１９９４年７月５日なる出願日を持つ先に出願されたヨーロッパ特許出願第９４２０１９４５．６号（ＰＨＮ１４９３５）、及び同関連文献リストの文献（Ｄ６）である１９９４年７月７日なる出願日を持つ先に出願されたヨーロッパ特許出願第９４２０１９６７．０号（ＰＨＮ１４９３７）が信号バスを介してのパケットの伝送について述べていることに注意されたい。
【図面の簡単な説明】
本発明の上記及び他の特徴は、以下の図面を参照する実施例から明らかとなるであろうが、これら図面において：
第１Ａ図は、時間の関数として記録されるべき情報信号を示し、該信号は時間の関数として不規則に発生するパケットを有している、
第１Ｂ図は、パケットの各々にタイムスタンプを付加した後の複合パケットの系列を示し、
第１Ｃ図は、斜めのトラックが記録された記録担体の一部を示し、
第１Ｄ図は、記録中における、時間の関数としてのカウンタのカウント値のサイクルを示し、
第１Ｅ図は、再生中における、時間の関数としてのカウンタのカウント値のサイクルを示し、
第１Ｆ図は、再生中に得られるパケットの系列を示し、
第２図は、記録装置の一実施例を示し、
第３図は、再生装置の一実施例を示し、
第４図は、記録装置のもっと入念な実施例を示し、
第５、６及び７図は、第４図の記録装置において発生する種々の信号波形を、種々の動作モード、即ちＨＤ動作モード、ＳＤ動作モード及びＳＤ／２動作モードに関して示し、
第８図は、再生装置のもっと入念な実施例を示し、
第９、１０及び１１図は、第８図の再生装置において発生する種々の信号波形を、種々の動作モード、即ちＨＤ動作モード、ＳＤ動作モード及びＳＤ／２動作モードに関して示す。
発明を実施するための最良の形態
第１Ａ図は、記録されるべき情報信号を示している。前述したように、上記の記録されるべき信号はＭＰＥＧ直列データ流中に含まれる１つのビデオ信号及びそれに対応するオーディオ信号であってよい。上記１つのビデオ信号に関係する情報と、それに対応するオーディオ信号に関係する情報とを有するＭＰＥＧ直列データ流中のパケットは、この直列データ流から選択され、第１Ａ図に示すような時間の関数で得られる。記録されるべき上記情報信号を有するパケットは、第１Ａ図に符号Ｐ1〜Ｐ11により示されている。タイムスタンプＴＳ1〜ＴＳ11が上記各パケットＰ1〜Ｐ11に付加され、第１Ｂ図に示すような複合パケットＰ1’〜Ｐ11’が得られる。各複合パケット中のタイムスタンプは、第１Ｂ図では、これら複合パケットの開始部を示す太線により概念的に示されている。各パケットの発生時点は、第１Ａ図では、ｔ1、ｔ2、ｔ3、ｔ4、…で示されている。
第１Ｃ図は、記録担体上の斜めのトラックへの情報の記録を概念的に示している。記録担体上のトラックはｎトラックづつの連続した群に分割され、ここでｎは本例では１２に等しい。第１Ｃ図は、左から右に、１２個のトラックの群の最終トラックＴｒ１１、そして次の群の１２個のトラックＴｒ０〜Ｔｒ１１、それに後続する次の１２個のトラックの群のうちの２つのトラックＴｒ０〜Ｔｒ２を示している。第１Ｃ図は、時間の関数としてのトラックの記録を示すという点で概念的な図に過ぎない。回転ドラムの円周の廻りに１８０度で位置する２つのヘッドを有する場合、これら２つのヘッドの内の第１のヘッドは時点ｔbで開始し時点ｔcで終わるトラックＴｒ１０のようなトラックに情報を記録する。その時点で、上記第１のヘッドは記録担体を離れ、第２のヘッドが記録担体に接触するようになって、ｔcで開始し時点ｔdで終わるトラックＴｒ１を記録する。このシーケンスは２つのトラック毎に繰り返される。このようにして、１２個のトラックの群はヘッドドラムの６回転の間に記録される。
他のヘッドドラム構成も同様に可能であることが理解される。一例として、ヘッドドラム構成は、ヘッドドラムの円周に１８０度で位置される２つのヘッド対を有し、他の全てのパラメータが一定であるとして、記録担体の２倍の高移送速度で以て、ヘッドドラムの３回転の間に１２トラックの群が得られるようにすることができる。
複合パケットはチャンネル符号化され、トラックに記録される。一例として、複合パケットＰ4’はトラックＴｒ４のＴＰ4で示される部分に記録することができ、複合パケットＰ7’はトラックＴｒ６におけるＴＰ7で示すトラック部分に記録することができる（第１Ｃ図参照）。
第１Ｄ図は、カウンタの時間の関数としてのカウント値を示し、該カウンタは「０」のような開始値から最終値までを、連続するカウントサイクルでカウントすることができる。第１Ｄ図は、時点ｔbで終了する一つのカウントサイクルの最終部分と、該時点ｔbと時点ｔfとの間の完全なサイクルと、時点ｔfで開始する次のサイクルの開始部とを示している。時点ｔb及びｔfでは、当該カウンタは開始値にリセットされ、各サイクル内では最終値までカウントする。時点ｔbとｔfとの間の時間間隔により規定される当該カウンタのカウントサイクルは、記録担体上にｎ（＝１２）トラックの群が記録される時間間隔と正確に対応している。即ち、当該カウンタのリセットの時点は、１２トラックの各群の最初のトラックの記録が開始される時点に相当する。
次に、タイムスタンプの生成について説明する。一例として、時点ｔ4でのパケットＰ4の発生に際して、カウンタは第１Ｄ図に示すようにカウント値ｃｖ４を有している。この場合、該カウント値ｃｖ4はパケットＰ4内にタイムスタンプＴＳ4として記憶される。次いで、複合パケットＰ4’がトラックＴｒ４のトラック部分ＴＰ4に記録される。他の例として、時点ｔ7におけるパケットＰ7の発生に際して、カウンタは第１Ｄ図に示すようにカウント値ｃｖ7を有している。この場合、該カウント値はパケットＰ7にタイムスタンプＴＳ7として記憶され、複合パケットＰ7’が得られる。この複合パケットＰ7’は、次いで、トラックＴｒ６のトラック部分ＴＰ7に記録される。
第１Ｅ図は、第１Ｃ図に示すトラックに記録された情報を再生する場合のカウント値のサイクルを示している。第１Ｅ図のカウント値のサイクルは、記録の間に生成されたカウント値のサイクルと同じサイクルである。第１Ｅ図に見られるように、各サイクルは第１Ｄ図に示したサイクルと比較して期間ΔＴだけ遅れている。これは、再生後に情報信号中のパケットの時間シーケンスの再現を可能ならしめるためになされる。このことは、第１Ｃ図におけるトラックＴｒ４及びＴｒ６に記録されたパケットＰ4及びＰ7の再生について述べる際に説明する。
トラックから複合パケットＰ4’及びＰ7’を再生した後、これら複合パケットからタイムスタンプＴＳ4及びＴＳ7が抽出される。これらタイムスタンプは、先に第１Ｄ図を参照して説明したように、カウント値ｃｖ4及びｃｖ7に各々等しい。トラック部分ＴＰ4から再生された複合パケットＰ4’からのタイムスタンプ値ＴＳ4の抽出の時点（第１Ｅ図のｔ4’）では、カウンタは未だカウント値ｃｖ4には達していない（これは時点ｔ4”で発生する、第１Ｅ図参照）。第１Ｅ図のカウント値が値ｃｖ4に到達する時に、パケットＰ4は出力端子に供給される（第１Ｆ図参照）。同様に、トラック部分ＴＰ7から再生された複合パケットＰ7’からのタイムスタンプＴＳ7の抽出の時点（第１Ｅ図のｔ7’）では、カウンタは未だカウント値ｃｖ7（これは時点ｔ7”で発生する、第１Ｅ図参照）に到達していない。第１Ｅ図のカウント値が値ｃｖ7に到達すると、パケットＰ7は出力端子に供給される（第１Ｆ図参照）。結果として、第１Ｆ図に示すような情報信号が再現される。
前述したように、第１Ｅ図のサイクルは、第１Ｄ図に示すもののように、記録担体上に記録されたフレームの再生に一致し得る。この場合、複合パケットＰ4’及びＰ7’は、時点ｔ4及びｔ7で各々発生するカウント値ｃｖ4及びｃｖ7（第１Ｄ図参照）がこれらパケットが記録担体から再生される前に既に通り過ぎているという点で、あまりに遅くに再生される。この問題は、複合パケットからタイムスタンプＴＳ4及びＴＳ7を各々抽出し、これらタイムスタンプの値にオフセット値を加算することにより解決することができる。このオフセット値は、前述した遅延時間ΔＴと等しくすることができる。
記録の際のタイムスタンプの割り付けは、第１Ａ図、第１Ｂ図及び第１Ｃ図を参照して述べた方法とは異なる方法で実施することもできる。オフセット値を第１Ｄ図のカウント値に加算し、該オフセット値とカウント値との和をパケット用のタイムスタンプとして使用することもできる。又は、第１Ｄ図に示すサイクルをパケットの記録の際に時間間隔ΔＴだけ進めておくこともできる。両状況において、第１Ｄ図に示すカウントサイクルを再生の際に使用することができる。
第２図は、第１Ａ図〜第１Ｄ図を参照して上記に説明した記録方法を実施する記録装置の一実施例を示している。この記録装置は第１Ａ図に示したパケットを入力する入力端子１を有している。この入力端子１はパケット検出器２の入力端子と信号合成ユニット４のデータ入力端子１２とに結合されている。信号合成ユニット４の出力端子はチャンネル符号化ユニット６の入力端子に結合され、該符号化ユニットは記録ユニット８の入力端子に結合された出力端子を有している。前記パケット検出器２の出力端子は信号合成ユニット４の制御入力端子１０に結合されている。又、発振器１４が在り、該発振器はカウンタ２０のクロック入力端子１６に結合された出力端子を有している。該カウンタの出力端子は信号合成ユニット４の第２データ入力端子２２に結合されている。又、中央処理ユニット２４が、当該装置内のタイミングを供給するために設けられている。該ユニット２４は発振器１４からクロックパルスを入力する入力端子２５と、カウンタ２０のリセット入力端子２８にリセットパルスを供給する出力端子とを有している。更に、ユニット２４は出力端子３０を介してタイミングパルスを記録ユニット８に供給する。
上記発振器１４は、一例として、２７ＭＨｚのクロック周波数を有している。このように、該カウンタはこの周波数でカウントアップ（又はカウントダウン）を行い、零であり得る開始カウント値から開始し最終値までのカウント値のサイクルを発生する。その後、リセットパルスが入力端子２８に供給される結果、カウンタが開始値にリセットされ、従って次のサイクルが開始する。パケットが入力端子１に到達し、検出器２がパケットの該到達を検出すると、検出器２は制御信号を発生し、該制御信号を信号合成ユニット４の制御信号入力端子１０に供給する。パケットの発生時点におけるカウンタ２０のカウント値は、信号合成ユニット４により制御信号が入力されると、検出器２により検出されデータ入力端子１２に供給されたパケットに記憶される。このようにして得られた複合パケットは、後の処理のためにチャンネル符号化ユニット６に供給され、その結果チャンネル符号化された複合パケットが記録担体３０上のトラックに記録される。
ユニット２４は記録ユニット８に対してタイミングパルスを発生するので、該記録ユニットは、何時フレームの情報がｎトラックの群に記録され、次のフレームの情報がｎトラックの後続の群に記録されるべきかを知ることができる。
充分なタイミング精度を持つために、充分なカウント値がサイクル内で発生されることは明らかであろう。
５０Ｈｚのシステムでは、カウンタはサイクル毎に０（零）〜１０８００００−１（＝２７ｘ１０6／２５）をカウントすることができる。５９．９４Ｈｚシステムでは、カウンタはサイクル毎に０（零）〜９００９００−１（大雑把に、５４ｘ１０6／５９．９４）をカウントすることができ、６０Ｈｚシステムではカウンタは０（零）〜９０００００−１（＝２７ｘ１０6／３０）をカウントすることができる。
第３図は、再生装置の一実施例を示している。再生ユニット５０が在り、該ユニット５０はチャンネル復号ユニット５２の入力端子に結合された出力端子５１を有する一方、該ユニット５２はデマルチプレクサ５４の入力端子に結合された出力端子を有している。デマルチプレクサ５４の第１の出力端子５６はバッファユニット５８の入力端子６０に結合されている。又、該デマルチプレクサの第２の出力端子６２は比較器６６の第１の入力端子６４に結合され、該比較器はバッファユニット５８の制御信号入力端子６８に結合された出力端子を有している。又、タイミングパルスを発生する中央処理ユニット７０が在り、該ユニット７０は再生ユニット５０の出力端子５１に結合された入力端子７１と、カウンタ７４のリセット入力端子７２に結合された出力端子７３とを有している。当該ユニット７０は、更に、発振器７８からクロックパルスを入力し、再生ユニット５０にタイミングパルスを供給する。カウンタ７４のクロック入力端子７６は発振器７８の出力端子に結合されている。又、カウンタ７４の出力端子８０は比較器６６の第２の入力端子８２に結合されている。
一例として、前記記録装置の発振器１４が２７ＭＨｚのクロック周波数を持つ場合は、発振器７８も２７ＭＨｚのクロック周波数を持つ。このようにして、カウンタ７４は上記周波数でカウントアップ（又はダウン）を行い、「零」であり得る開始カウント値から開始し最終値までのカウント値のサイクルを発生し、その後リセットパルスが入力端子７２に供給されると該カウンタは開始値にリセットされるので、次のサイクルが開始する。再生に際しては、チャンネル符号化された複合パケットを有するフレームが、チャンネル復号ユニット５２の入力端子に到来する。これらのチャンネル符号化されたパケットはチャンネル復号され、前記複合パケットの複製が得られる。デマルチプレクサ５４では、上記複合パケットの複製からタイムスタンプが抽出され、パケットの複製が得られる。これらタイムスタンプは出力端子６２に供給され、パケットの複製は出力端子５６に供給される。パケットの複製はバッファメモリ５８に供給されて、そこに記憶される。一方、タイムスタンプは比較器６６の入力端子６４に供給され、カウンタ７４により入力端子８２に供給されるカウント値と比較される。
ユニット７０は、入力端子７１に供給される信号中の各フレームに存在する同期語の発生を検出する。この検出は、ＰＬＬを用いてなされる。これによれば、カウンタ７４により発生されるカウント値のサイクルを、連続するフレームが再生される時間間隔と同期させることができる。
ユニット７０はカウンタ７４に対してタイミングパルスを発生する。この場合、これらのタイミングパルスは、ｎトラックの群に記録されている情報のフレームの再生の開始と関係がある。結果として、発振器クロックパルス及びタイミングパルスの影響の下でカウンタ７４により発生されるカウント値のサイクルは、前記カウンタ２０のサイクルと完全に同期する。第１Ｅ図〜第１Ｆ図を参照して説明したように、カウント値の該サイクルは、フレームがトラックから再生される時間と較べてΔＴの遅延を有することができる。
デマルチプレクサ５４により供給されるパケットは、バッファ５８に記憶される。該パケットから抽出されたタイムスタンプは比較器６６に供給されて、カウンタ７４により供給されるカウント値の系列と比較される。上記タイムスタンプとカウンタ７４からのカウント値との間に一致が検出されるやいなや、比較器６６は出力端子に制御信号を供給し、該制御信号はバッファ５８の制御入力端子６８に供給される。該バッファ５８は当該バッファ５８内に記憶されているパケットを、制御入力端子６８に供給される制御信号に応答して出力端子８６に供給する。かくして、該出力端子８６には一連の複製パケットが現れ、結果として第１Ｆ図に示したような信号が得られる。
ここでも、充分なタイミング精度を持つために、サイクル中で充分なカウント値が発生されることは自明であろう。
５０Ｈｚのシステムでは、カウンタはサイクル毎に０（零）〜１０８００００−１をカウントすることができる。５９．９４Ｈｚシステムでは、カウンタはサイクル毎に０（零）〜９００９００−１をカウントすることができ、６０Ｈｚシステムではカウンタは０（零）〜９０００００−１をカウントすることができる。
当該再生装置の他の実施例では、カウント値のサイクルは、情報のフレームが記録担体から再生される時間間隔と一致させることができる。このような実施例では、加算器ユニット（図示略）がデマルチプレクサ５４の出力端子６２と比較器６６の入力端子６４との間の接続部に挿入される。この加算器ユニットは、前述したオフセット値をデマルチプレクサ５４により供給されるタイムスタンプに加算することができる。
同様に、前記記録装置も、前述したようにオフセット値が第１Ｄ図のカウント値に加算され、該オフセット値とカウント値との和がパケット用のタイムスタンプとして用いられるようにして、異ならしめることができる。この構成は、第２図のカウンタ２０の出力端子と合成ユニット４の入力端子２２との間の接続部に加算器ユニット（図示略）を必要とする。又は、第１Ｄ図に示したサイクルをパケットの記録の間に時間間隔ΔＴだけ進めることもでき、この場合はタイミングユニット２４を用いて異なるタイミングが必要となる。
尚、本発明は上述した実施例にのみ限定されるべきではない。上述した実施例からの種々の変形は、本発明の要旨から逸脱することなく可能である。このように、本発明はリニア記録／再生型の記録／再生装置にも同様に適用可能である。更に、本記録／再生装置は光学式記録／再生型の記録／再生装置であってもよい。
第４図は、本発明による記録装置のより入念な実施例を示している。この場合、入力端子１は信号処理ユニット１０２の信号入力端子１０４に結合されている。該入力端子１を介して入力されたＭＰＥＧ−２信号等のＭＰＥＧ符号化されたビデオ信号の情報のパケットが、上記処理ユニット１０２の入力端子１０４に供給され、該ユニットにおいてはタイムスタンプが各パケットに付加される。処理ユニット１０２におけるチャンネル符号化、バッファリング及び平滑化等の以降の信号処理は、これらタイムスタンプされたパケットに対して行われる。タイムスタンプされたパケットを含む処理された信号は、信号線１０８を介して、回転ヘッドドラム１０６上に位置する書込ヘッド対Ｈ1及び書込ヘッド対Ｈ2に供給される。また、位相ロックループ（ＰＬＬ）１１０及び発振器回路１１２が在る。発振器回路１１２は、大まかに２７ＭＨｚの発振周波数を供給するようになっている。ＰＬＬ１１０の目的は、発振器回路１１２中の記録発振器を、これも大まかに２７ＭＨｚである入力ＭＰＥＧ信号のタイミングに結合することにある。ＰＬＬ１１０はＭＰＥＧパケットに含まれるＰＣＲクロック情報にロックし、これに従って発振器回路１１２のクロック周波数を制御する。発振器回路１１２はクロック信号をモジュロＮカウンタ１１４に供給する。６２５ライン／５０Ｈｚシステムでは、Ｎは２２５０００に等しく、ヘッドドラム１０６の回転速度は１８００ｒｐｍである。また、５２５ライン／６０Ｈｚシステムでは、Ｎは２２５２２５に等しく、回転速度は１８００／１．００１ｒｐｍである。カウンタ１１４は、タイムスタンプのカウント値用として本例では１８ビットを出力する。また、モジュロＭのカウンタ１１６もあり、該カウンタはタイムスタンプのカウント値用として本例では８つの付加ビットを出力する。Ｍは動作モードに応じて種々の値を持ち得る。一例として、ＨＤ（高精細度）動作モードでは（記録ビットレートが２８Ｍｂ／ｓで、ヘッドドラムの１回転当たり４トラックが書き込まれ、テープ速度は２・ｖnである）、Ｍは６に等しく；ＳＤ（標準精細度）動作モードでは（１４Ｍｂ／ｓで、ヘッドドラムの１回転当たり２トラックが書き込まれ、テープ速度はｖnである）、Ｍは１２に等しく；ＳＤ／２動作モードでは（７Ｍｂ／ｓで、ヘッドドラムの２回転当たり２トラックが書き込まれ、テープ速度はｖn／２である）、Ｍは２４に等しく；ＳＤ／７動作モードでは（２Ｍｂ／ｓで、ヘッドドラムの７回転当たり２トラックが書き込まれ、テープ速度はｖn／７である）、Ｍは８４に等しい。
２２ビット２進語長のタイムスタンプがカウンタ１１４及び１１６により発生され、これらタイムスタンプはラッチ回路１３２の出力端子１３４に得られる。４分割分周器１１８が在り、ヘッドドラム１０６の回転速度を制御するためのドラム基準クロック信号が得られる。Ｎ＝２２５０００の場合、回転速度は３０Ｈｚ（即ち、前述したように１８００ｒｐｍ）である。Ｎ＝２２５２２５の場合は、回転速度は２９．９７Ｈｚ（即ち、前述したように１８００／１．００１ｒｐｍ）である。
ブロック１２０及び１２２で示され、ライン１２４上にトラック開始信号を、ライン１２６上にリセット信号を及びライン１２８上に６−トラック基準信号を発生する幾つかの付加的な回路がある。更に、パケット到来検出器１３０が在る。
第４図の装置に存在する種々の信号を、第５図に示す。この第５図は、当該装置がＨＤ動作モードである場合に該装置中に存在する信号を示している。第５図の（ａ）の信号は、カウンタ１１４の出力端子１３６における信号であり、該信号はラッチ回路１３２へ供給されるカウント信号でもある。第５図の（ｂ）の信号は分周器１１８の出力端子における信号である。第５図の（ｃ）の信号は回路１２０のライン１２４上の信号である。第５図の（ｄ）の信号は回路１２０のライン１２８上の信号である。第５図の（ｅ）の信号は回路１２２のライン１２６上の信号である。また、第５図の（ｆ）の信号はカウンタ１１６の出力端子に現れる、ラッチ回路１３２に供給されるカウント信号である。
第６図は、上記装置がＳＤ記録モードに切り換えられた場合における第４図の装置の同一の位置における信号を示したものである。又、第７図は上記装置がＳＤ／２記録モードに切り換えられた場合における第４図の装置の同一の位置における信号を示したものである。
第８図は、本発明による再生装置のもっと入念な実施例を示している。該再生装置は第４図の記録装置によく似ている。タイムスタンプされたパケットを持つ処理された信号は、回転ヘッドドラム１０６上に位置する読取ヘッド対Ｈ1’及び読取ヘッド対Ｈ2’により記録担体から読み取られ、信号線１０８を介して処理回路１０２’に供給される。チャンネル復号、バッファリング及び非平滑化等の信号処理は、処理回路１０２’において、これらのタイムスタンプされたパケットに対して行われる。タイムスタンプはパケットから取り除かれ、パケットはタイムスタンプに応じて出力端子８６に供給される。
また、発振器回路１１２’があり、該回路は２７ＭＨｚの発振周波数を供給する。該発振器回路１１２’はクロック信号をモジュロＮカウンタ１１４に供給する。前述したように、６２５ライン／５０Ｈｚのシステムでは、Ｎは２２５０００に等しく、ヘッドドラム１０６の回転速度は１８００ｒｐｍである。一方、５２５ライン／６０Ｈｚのシステムでは、Ｎは２２５２２５に等しく、上記回転速度は１８００／１．００１ｒｐｍである。カウンタ１１４はカウント値として１８ビットを供給する。又、モジュロＭカウンタ１１６が在り、該カウンタはカウント値として追加の８ビットを供給する。Ｍは、動作モードに応じて、前述したのと同一の値を有する。カウンタ１１４及び１１６で発生された２２ビットのカウント値は、比較器１４４に供給される。該比較器１４４は、更に、前記タイムスタンプされたパケットから抽出されたタイムスタンプを、処理回路１０２’から入力する。タイムスタンプ値とカウント値とが一致すると、比較器１４４によりライン１４６上に一致信号が発生される。一致が成立したタイムスタンプを持つパケットは、上記一致信号に応答して出力端子８６に供給される。
又、４分割分周器１１８が在り、ヘッドドラム１０６の回転速度を制御するためのドラム基準クロック信号が得られる。Ｎ＝２２５０００の場合は、回転速度は３０Ｈｚ（即ち、前述したように１８００ｒｐｍ）となる。又、Ｎ＝２２５２２５の場合は、回転速度は２９．９７Ｈｚ（即ち、前述したように１８００／１．００１）となる。
ブロック１２０、１２２及び１４０で示され、ライン１２４上にトラック開始信号を、ライン１２６上にリセット信号を、ライン１２８上に６−トラック基準信号を、及びライン１４２上に１トラック遅延された６−トラック基準信号を発生する幾つかの付加的な回路がある。
第８図の装置に存在する種々の信号を、第９図に示す。この第９図は、当該装置がＨＤ再生動作モードである場合に該装置中に存在する信号を示している。第９図の（ａ）の信号は、カウンタ１１４の出力端子１３６における信号であり、該信号は比較器回路１４４へ供給されるカウント信号でもある。第９図の（ｂ）の信号は分周器１１８の出力端子における信号である。第９図の（ｃ）の信号は、回路１２０のライン１２４上の信号である。第９図の（ｄ）の信号は回路１２０のライン１２８上の信号である。第９図の（ｅ）の信号は回路１２２のライン１２６上の信号である。また、第９図の（ｆ）の信号はカウンタ１１６の出力端子に現れる、比較器回路１４４に供給されるカウント信号である。
第１０図は、上記装置がＳＤ再生モードに切り換えられた場合における第８図の装置の同一の位置における信号を示したものである。又、第１１図は上記装置がＳＤ／２再生モードに切り換えられた場合における第８図の装置の同一の位置における信号を示したものである。
関連文献
（Ｄ１）研究開示、１９９４年１０月、第５８１頁
（Ｄ２）ISO/IEC13.818国際規格、パート１「システム」、1994年11月13日
（Ｄ３）ＵＳ特許出願番号第08/225,193号、出願日08-04-94（PHN14.818）
（Ｄ４）ＵＳ特許出願番号第08/253,535号、出願日03-06-94（PHA21.886）
（Ｄ５）ヨーロッパ特許出願第94.201.945.6、出願日05-07-94（PHN14.935）
（Ｄ６）ヨーロッパ特許出願第94.201.967.0、出願日07-07-94（PHN14.937）
【図１】
0003891588.tif 000002
【図２】
0003891588.tif 000003
【図３】
0003891588.tif 000004
【図４】
0003891588.tif 000005
【図５ａ】
0003891588.tif 000006
【図５ｂ】
0003891588.tif 000007
【図５ｃ】
0003891588.tif 000008
【図５ｄ】
0003891588.tif 000009
【図５ｅ】
0003891588.tif 000010
【図５ｆ】
0003891588.tif 000011
【図６ａ】
0003891588.tif 000012
【図６ｂ】
0003891588.tif 000013
【図６ｃ】
0003891588.tif 000014
【図６ｄ】
0003891588.tif 000015
【図６ｅ】
0003891588.tif 000016
【図６ｆ】
0003891588.tif 000017
【図７ａ】
0003891588.tif 000018
【図７ｂ】
0003891588.tif 000019
【図７ｃ】
0003891588.tif 000020
【図７ｄ】
0003891588.tif 000021
【図７ｅ】
0003891588.tif 000022
【図７ｆ】
0003891588.tif 000023
【図８】
0003891588.tif 000024
【図９ａ】
0003891588.tif 000025
【図９ｂ】
0003891588.tif 000026
【図９ｃ】
0003891588.tif 000027
【図９ｄ】
0003891588.tif 000028
【図９ｅ】
0003891588.tif 000029
【図９ｆ】
0003891588.tif 000030
【図１０ａ】
0003891588.tif 000031
【図１０ｂ】
0003891588.tif 000032
【図１０ｃ】
0003891588.tif 000033
【図１０ｄ】
0003891588.tif 000034
【図１０ｅ】
0003891588.tif 000035
【図１０ｆ】
0003891588.tif 000036
【図１１ａ】
0003891588.tif 000037
【図１１ｂ】
0003891588.tif 000038
【図１１ｃ】
0003891588.tif 000039
【図１１ｄ】
0003891588.tif 000040
【図１１ｅ】
0003891588.tif 000041
【図１１ｆ】
0003891588.tif 000042